(57)【要約】【課題】重錘を含めたタンク内の部材をタンク外に引き上げる。【解決手段】タンク１の天井部２上に液面測定のための本体部３が構設され、円筒状の筒体５、６を介してタンク１内にガイドワイヤ９、１０がウインチ１１によって吊り下げられており、ガイドワイヤ９、１０の先端にはそれぞれ重錘１２、１３が固定され、タンク１の底部近くまで吊り下ろされている。ガイドワイヤ９、１０には、フロート１４が上下動自在に支持されており、フロート１４は測定ワイヤにより吊り下げられ、フロート１４の位置に従って液面を検出できる。  重錘１２、１３をタンク１から取り出すには、ガイドワイヤ９、１０を巻き上げると、重錘１２、１３を上部筒体５内に引き上げることが可能となる。同時に、フロート１４も測定ワイヤを巻上機構により巻き上げて、上部筒体５内に引き上げることができる。【選択図】図１
2008203180.tif 000002
【特許請求の範囲】
【請求項１】
タンク上に設けた本体部から前記タンク内に挿入した筒体と、該筒体内から前記タンクの底部近くにそれぞれ重錘を吊り下げる複数本のガイドワイヤと、前記タンク中の液面又は液中にあって前記ガイドワイヤにより上下方向に案内されるフロートと、前記筒体内から繰り出して該フロートを吊り下げると共に該フロートの位置を前記本体部に伝達する測定ワイヤと、前記重錘を前記ガイドワイヤにより前記筒体内に引き上げる引き上げ手段と、前記各ガイドワイヤの中間に取り付け上端を錐形とした巻上補助具とを備えたことを特徴とするフロート式液面計の回収機構。
【請求項２】
前記ガイドワイヤは前記重錘と共にウインチにより巻き上げることを特徴とする請求項１に記載のフロート式液面計の回収機構。
【請求項３】
前記ガイドワイヤ間にはこれらのガイドワイヤを所定間隔に保持するガイドリングを取り付けたことを特徴とする請求項１又は２に記載のフロート式液面計の回収機構。
【請求項４】
前記ガイドワイヤの中間に固定具をそれぞれ取り付け、前記ガイドワイヤの何れか１本が前記固定具の上部で切断した場合において、前記切断したガイドワイヤに取り付けた前記固定具が前記ガイドリングに係止し、他のガイドワイヤによって前記切断したガイドワイヤの前記重錘を引き上げ可能としたことを特徴とする請求項３に記載のフロート式液面計の回収機構。
【請求項５】
前記タンク内から取り外し可能な前記筒体内を、前記タンク内と気密に区画する手段と、前記筒体内をガス置換する手段とを有することを特徴とする請求項１〜４の何れか１つの請求項に記載のフロート式液面計の回収機構。
【発明の詳細な説明】
【技術分野】
【０００１】
本発明は、ＬＰＧタンクなどにおいて使用するフロート式液面計の回収機構に関するものである。
【背景技術】
【０００２】
フロート式液面計のフロートは、液面に浮いた状態のままではタンク内の液体の流れ等で流され、正確な液位を測定できなかったり、フロートに接続したワイヤが絡む等の問題が発生することがある。そこで、フロートをガイドワイヤで案内したり、或いはパイプ内に入れたりしてフロートが流されることを防止している。
【０００３】
新設のタンク内にガイドワイヤを張る場合には、タンク底面とタンク天井間でガイドワイヤを鉛直に張れるように、タンク底面に設けた下部金具によりガイドワイヤを固定し、タンクの天板にガイドワイヤノブを設置すればよい。
【０００４】
しかし、既設のタンクに液面計を追加設置したり、或いは更新する際には、タンク内に液体が入っていて、タンクを開放できない場合が多々ある。このような場合に、ガイドワイヤをタンク底面に固定することはできないため、特許文献１のように重錘をガイドワイヤにより吊り下ろすことが行われている。この場合に、重錘がタンク内で流されないようにするため、重錘には或る程度の重量を有するものが使用されている。
【０００５】
更に、特許文献２のように、フロートが流されたり回転しないように、２本以上のガイドワイヤを設置して個々に重錘を取り付けることも行われている。
【０００６】
【特許文献１】実開昭５９−９７４３４号公報
【特許文献２】実開昭６２−９９８２２号公報
【発明の開示】
【発明が解決しようとする課題】
【０００７】
このような重錘を用いたフロート式液面計に対する修理や保守を行う際には、重錘を引き上げて回収することが必要となる。しかし、タンク内の被測定体がＬＰＧなどのような場合には、タンクを開放した状態で作業を行うことはできず、密閉状態で遠隔的な操作を行う必要がある。
【０００８】
本発明の目的は、上述の課題を解消し、必要に応じて重錘を含めた液面計をタンク外に引き上げることができるフロート式液面計の回収機構を提供することにある。
【課題を解決するための手段】
【０００９】
上記目的を達成するための本発明に係るフロート式液面計の回収機構の技術的特徴は、タンク上に設けた本体部から前記タンク内に挿入した筒体と、該筒体内から前記タンクの底部近くにそれぞれ重錘を吊り下げる複数本のガイドワイヤと、前記タンク中の液面又は液中にあって前記ガイドワイヤにより上下方向に案内されるフロートと、前記筒体内から繰り出して該フロートを吊り下げると共に該フロートの位置を前記本体部に伝達する測定ワイヤと、前記重錘を前記ガイドワイヤにより前記筒体内に引き上げる引き上げ手段と、前記各ガイドワイヤの中間に取り付け上端を錐形とした巻上補助具とを備えたことにある。
【発明の効果】
【００１０】
本発明に係るフロート式液面計の回収機構によれば、タンク内の重錘等を遠隔的にタンクから回収することができる。
【発明を実施するための最良の形態】
【００１１】
本発明を図示の実施例に基づいて詳細に説明する。
図１は正面から見た構成図、図２は側面から見た構成図であり、タンク１の天井部２上に液面測定のための本体部３が構設され、例えば円筒状の筒体がタンク１内に挿入されている。筒体は仕切弁４を介して上部筒体５と下部筒体６に分けられ、下部筒体６は天井部２に固定されている。仕切弁４はフランジ７、８を介して、上部筒体５、下部筒体６間に連結されている。
【００１２】
筒体５、６内からタンク１内に２本のガイドワイヤ９、１０がウインチ１１によって吊り下げられている。ガイドワイヤ９、１０の先端にはそれぞれ重錘１２、１３が固定され、重錘１２、１３はタンク１の底部近くまで吊り下ろされており、ガイドワイヤ９、１０には十分な張力が与えられている。
【００１３】
ガイドワイヤ９、１０は重錘１２、１３を吊り下げても容易に切断しないように、高強度のワイヤが使用されており、このためガイドワイヤ９、１０には撚り線のワイヤが使用されている。ガイドワイヤ９、１０には、フロート１４がリングを介して上下動自在に案内されかつ支持されている。フロート１４は筒体５、６から吊り下ろされた測定ワイヤ１５により吊り下げられて液面に浮遊し、測定ワイヤ１５は本体部３においてフロート１４の位置に従って巻き上げ、繰り出しが可能とされ、本体部３内のセンサ１６にフロート１４の位置を伝達して液面を測定するようになっている。
【００１４】
また、重錘１２、１３の上部のガイドワイヤ９、１０間にはガイドリング１７が取り付けられている。ガイドリング１７には直管部１８が設けられ、ガイドワイヤ９がこの直管部１８中に挿通され固定されている。直管部１８には直交方向にＬ字状に水平部材１９が一体化されて設けられ、この水平部材１９の端部に設けた環状部２０にガイドワイヤ１０が挿通されている。
【００１５】
また、ガイドリング１７の上方の各ガイドワイヤ９、１０の中間には、それぞれボールシャンクから成る固定具２１、２２が取り付けられている。更に、固定具２１、２２の上方には、それぞれ巻上補助具２３、２４が固定され、これらの巻上補助具２３、２４の上端及び下端は錐形とされている。
【００１６】
ガイドワイヤ９、１０には、ガイドリング１７を構成する直管部１８、水平部材１９、環状部２０が用いられているので、個々のガイドワイヤ９、１０が撚り戻しにより回転しても、ガイドワイヤ９、１０同士が絡まり合うことはない。特に、ガイドワイヤ９、１０同士の間隔を保つために、水平部材１９を使用してガイドワイヤ９、１０を所定間隔に保持し、一方のガイドワイヤの撚り戻しが他方のガイドワイヤに影響しないようにしているので、フロート１４の上下動が円滑となり、液面の測定精度は良好に保たれる。
【００１７】
なお、ガイドリング１７は直管部１８を使用せずに、水平部材１９の両端にそれぞれ環状部２０を設けるようにしてもよい。
【００１８】
修理や保守等のために、重錘１２、１３、フロート１４をタンク１から取り出す場合には、ガイドワイヤ９、１０をウインチ１１により巻き上げる。この巻き上げに際して、上部を円錘形とした巻上補助具２３、２４により、重錘１２、１３は下部筒体６の縁部に引っ掛かることがなく、図３に示すように容易に上部筒体５内に引き上げることが可能である。この場合に、下部筒体６が若干傾斜していても、重錘１２、１３を支障なく引き上げることができる。フロート１４についても、測定ワイヤ１５を図示しない巻上機構により巻き上げ、上部筒体５内に引き上げることができる。
【００１９】
前述したように、上部筒体５は仕切弁４に対しフランジ７により分離可能に結合されている。更に、上部筒体５内は気密に区画可能とされ、注入弁２５により窒素ガスを注入し、放出弁２６により上部筒体５内のガスを排出できるようにされている。
【００２０】
従って、重錘１２、１３、フロート１４を上部筒体５内に回収した後に、仕切弁４を閉止し、上部筒体５内に注入弁２５から窒素ガスを注入して上部筒体５内の気体を置換する。その後に、フランジ７のボルトを緩めて上部筒体５を仕切弁４から分離すれば、本体部３と共に重錘１２、１３、フロート１４を回収した上部筒体５をタンク１から取り外すことができる。
【００２１】
また、修理が終った液面計を旧に復する場合や、新たに設置する場合でも、上部筒体５を仕切弁４に連結した後に、仕切弁４を開いて、重錘１２、１３、フロート１４をガイドワイヤ９、１０、測定ワイヤ１５により下部筒体６を経てタンク１内に吊り下ろすことができる。
【００２２】
また、通常ではガイドワイヤ９又は１０が切断すると、切断したガイドワイヤに接続した重錘の引き上げは不可能になる。しかし、本実施例においては、例えばガイドワイヤ１０が固定具２１の上方で切断された場合に、図４に示すように固定具２２がガイドリング１７の環状部２０に係止するので、残りのガイドワイヤ９により、２つの重錘１２、１３を引き上げることが可能となる。更には、他方のガイドワイヤ９が切断した場合においても、固定具２１がガイドリング１７の直管部１８に係止するので、同様にガイドワイヤ１０を用いて引き上げが可能である。
【００２３】
なお、フロート１４は液面に位置する形式のものに限定されず、液中に位置して測定を行う形式のものであってもよい。
【図面の簡単な説明】
【００２４】
【図１】実施例の正面から見た構成図である。
【図２】側面から見た構成図である。
【図３】重錘、フロートを筒体内に回収した状態の説明図である。
【図４】一方のガイドワイヤが切断した場合の説明図である。
【符号の説明】
【００２５】
１  タンク
２  天井部
３  本体部
４  仕切弁
５  上部筒体
６  下部筒体
９、１０  ガイドワイヤ
１１  ウインチ
１２、１３  重錘
１４  フロート
１５  測定ワイヤ
１６  センサ
１７  ガイドリング
１８  直管部
１９  水平部材
２０  環状部
２１、２２  固定具
２３、２４  巻上補助具
【図１】
2008203180.tif 000003
【図２】
2008203180.tif 000004
【図３】
2008203180.tif 000005
【図４】
2008203180.tif 000006